(57)【要約】【課題】ＤＶＤをはじめとする光ディスクからコンテンツデータを複製した記録可能な光ディスクの再生を防止することができるようにする。【解決手段】オリジナルディスクであるＤＶＤ−ＲＯＭにコンテンツデータを記録する際に、そのディスクの物理フォーマット情報を暗号化鍵として使用し、この暗号化鍵によって、当該ＤＶＤ−ＲＯＭに記録するデータ情報を暗号化して記録する。【選択図】図４
2004118911.tif 000002
【特許請求の範囲】
【請求項１】
情報記録媒体の種類および当該情報記録媒体に記録されるコンテンツのデータサイズにより定まる物理情報を記録する第１の記録領域と、前記コンテンツデータを記録する第２の記録領域とを備えた情報記録媒体に、前記コンテンツデータを記録する記録装置であって、
前記コンテンツデータのデータサイズから前記物理情報を確定する物理情報取得手段と、
前記物理情報取得手段において確定された前記物理情報を用いて、前記コンテンツデータを暗号化する暗号化手段と、
前記暗号化されたコンテンツデータを、前記第２の記録領域に記録するコンテンツ記録手段と、を備えること
を特徴とする記録装置。
【請求項２】
情報記録媒体の種類および当該情報記録媒体に記録されるコンテンツのデータサイズにより定まる物理情報を記録する第１の記録領域と、前記コンテンツデータを記録する第２の記録領域とを備えた情報記録媒体に、前記コンテンツデータを記録する記録方法であって、
前記コンテンツデータのデータサイズから前記物理情報を確定する物理情報確定ステップと、
前記物理情報確定ステップにおいて確定された前記物理情報を用いて、前記コンテンツデータを暗号化する暗号化ステップと、
前記暗号化ステップにおいて暗号化されたコンテンツデータを、前記第２の記録領域に記録するコンテンツ記録ステップと、を備えること
を特徴とする記録方法。
【請求項３】
情報記録媒体の種類および当該情報記録媒体に記録されるコンテンツのデータサイズにより定まる物理情報を記録する第１の記録領域と、前記物理情報を鍵として暗号化されたコンテンツデータを記録する第２の記録領域とを備えた情報記録媒体に記録された前記コンテンツデータを再生する再生装置であって、
前記第１の記録領域から前記物理情報を読み出す読出し手段と、
前記物理情報を用い、前記暗号化されたコンテンツデータを前記第２の記録領域から読み出すとともに復号化する復号化手段と、を備えること
を特徴とする再生装置。
【請求項４】
情報記録媒体の種類および当該情報記録媒体に記録されるコンテンツのデータサイズにより定まる物理情報を記録する第１の記録領域と、前記物理情報を鍵として暗号化されたコンテンツデータを記録する第２の記録領域とを備えた情報記録媒体に記録された前記コンテンツデータを再生する再生方法であって、
前記第１の記録領域から前記物理情報を読み出すステップと、
前記物理情報を用い、前記暗号化されたコンテンツデータを前記第２の記録領域から読み出すとともに復号化するステップと、を備えること
を特徴とする再生方法。
【請求項５】
コンピュータ読み取り可能な情報記録媒体であって、
前記情報記録媒体は、情報記録媒体の種類および当該情報記録媒体に記録されるデータのサイズにより定まる物理情報を記録する第１の記録領域と、前記物理情報を鍵として暗号化されたコンテンツデータおよびプログラムをデータとして記録する第２の記録領域とを備え、
前記プログラムは、コンピュータに実装されることにより、
前記物理情報を読み出す物理情報読出し手段と、
前記物理情報を用い、前記暗号化されたコンテンツデータを前記第２の領域から読出すとともに復号化する復号化手段と、を構築すること
を特徴とする情報記録媒体。
【発明の詳細な説明】
【０００１】
【発明の属する技術分野】
本発明は、映像、音楽、コンピュータプログラムなどが記録された再生専用の情報記録媒体の複製防止技術に関する。
【０００２】
【従来の技術】
ＤＶＤは、映像、音楽、コンピュータプログラムなどのデジタルデータを高い品質で記録する記録媒体として普及しつつある。ところが、デジタルデータは、品質の劣化もなく、複製も容易に可能である。このため、映像、音楽、コンピュータプログラムなどのコンテンツを提供する側から、そのコンテンツが不正に複製されないような保護技術が求められている。
【０００３】
一般に、コンテンツを配布する際に用いられるＤＶＤ（Ｄｉｇｉｔａｌ　Ｖｅｒｓａｔｉｌｅ　Ｄｉｓｃ）は、再生専用でコンテンツをプリピット記録するＤＶＤ−ＲＯＭと呼ばれるものが用いられている。ＤＶＤ−ＲＯＭには、主に音楽を記録するためのフォーマットであるＤＶＤ−Ａｕｄｉｏ、主に映像を記録するためのフォーマットであるＤＶＤ−Ｖｉｄｅｏ、および、その他のフォーマットが存在する。
【０００４】
コンテンツ提供者からの保護の要求に対し、例えば、ＤＶＤ−Ａｕｄｉｏには、ＣＰＰＭ（Ｃｏｎｔｅｎｔ　Ｐｒｏｔｅｃｔｉｏｎ　ｆｏｒ　Ｐｒｅｒｅｃｏｒｄｅｄ　Ｍｅｄｉａ）と呼ばれる複製防止方法が採用されている。また、ＤＶＤ−Ｖｉｄｅｏには、ＣＳＳ（Ｃｏｎｔｅｎｔ　Ｓｃｒａｍｂｌｉｎｇ　Ｓｙｓｔｅｍ）と呼ばれる複製防止方法が採用されている。
【０００５】
これらは、映像や音楽といったデータを暗号化してＤＶＤに記録し、ＤＶＤの副情報領域と呼ばれるところに、その暗号を解く鍵情報を同時に記録しておくもので、コンテンツ再生時に、その鍵情報を用いて暗号化されたデータ情報を解読し、元の映像や音楽に復元するものである。
【０００６】
しかしながら、上記のＣＰＰＭやＣＳＳのように定評のある方法を用いない限り、最近普及しつつある追記型のＤＶＤ−Ｒ、書き換え型のＤＶＤ−ＲＷなどの媒体や、それらにデータを複製する機器を用い、不正に複製されたコンテンツの再生が行われることがある。
【０００７】
特に、コンピュータプログラムなどは、現時点では、ＣＰＰＭやＣＳＳなどのような標準的な複製防止方法がないため、たとえコンテンツを暗号化して記録したとしても、場合によっては、その鍵情報までもが複製され、不正に複製されたコンテンツの再生が行われることもある。
【０００８】
このような問題を解決するために、例えば、電子透かし（ウオーターマーク）の技術や、ＤＶＤを再生する装置に、データが著作権により保護されているか否か、ディスクが記録可能なディスクか否かなどを判定する手段を設けたものなどが考えられている。
【０００９】
これは、この判定手段が、ＤＶＤに記録されているデータが著作権により保護され、かつ、当該ＤＶＤが記録可能なものであるときには、そのＤＶＤの再生を禁止するというものである（例えば、特許文献１参照）。
【特許文献１】
特開２０００−１４９４１５号公報
【００１０】
【発明が解決しようとする課題】
しかしながら、現時点では、ＣＰＰＭやＣＳＳなどの定評のある方法で複製防止処理を施していないコンテンツの場合、上述のように容易に記録可能なディスクにコピーされ、再生されてしまうことがある。
【００１１】
また、例えば、コンピュータプログラム等がコンテンツとして記録されたディスクの場合、暗号化されたデータとともに鍵情報までもが記録可能なディスクにコピーされるという状況を防ぐ手立てはなく、不正な複製ディスクが再生されてしまうこととなる。
【００１２】
さらに、現在、一般に市販されているＤＶＤ再生装置は、上述の特許文献１に開示されているような判定手段や電子透かしを検出する機能を備えていない。このため、上記の従来の方法による複製の制御は、限られた機器でのみ有効なものとなっている。
【００１３】
本発明は、上記事情に鑑みてなされたものであり、その目的は、ＤＶＤをはじめとする光ディスクなどの情報記録媒体からコンテンツデータを複製した記録可能な情報記録媒体からコンテンツデータの再生を防止することにある。
【００１４】
【課題を解決するための手段】
本発明は、オリジナルディスクに、コンテンツデータを記録する際に、そのディスク固有の物理フォーマット情報を暗号化鍵として使用し、この暗号化鍵によって、当該ディスクに記録するコンテンツデータを暗号化し、記録するものである。
【００１５】
すなわち、本発明の記録装置は、情報記録媒体の種類および当該情報記録媒体に記録されるコンテンツのデータサイズにより定まる物理情報を記録する第１の記録領域と、前記コンテンツデータを記録する第２の記録領域とを備えた情報記録媒体に、前記コンテンツデータを記録する記録装置であって、前記コンテンツデータのデータサイズから前記物理情報を確定する物理情報取得手段と、前記物理情報取得手段において確定された前記物理情報を用いて、前記コンテンツデータを暗号化する暗号化手段と、前記暗号化されたコンテンツデータを、前記第２の記録領域に記録するコンテンツ記録手段とを備える。
【００１６】
さらに、本発明の再生装置は、情報記録媒体の種類および当該情報記録媒体に記録されるコンテンツのデータサイズにより定まる物理情報を記録する第１の記録領域と、前記物理情報を鍵として暗号化されたコンテンツデータを記録する第２の記録領域とを備えた情報記録媒体に記録された前記コンテンツデータを再生する再生装置であって、前記第１の記録領域から前記物理情報を読み出す読出し手段と、前記物理情報を用い、前記暗号化されたコンテンツデータを前記第２の記録領域から読み出すとともに復号化する復号化手段とを備える。
【００１７】
【発明の実施の形態】
本発明を適用した実施形態の説明に先立ち、ＤＶＤの物理フォーマット情報について概略を説明する。
【００１８】
図１は、ＤＶＤ１０の記録領域を説明するための図である。
【００１９】
図１に示すように、一般的にＤＶＤ１０には、半径方向の内周から外周に向かって、リードイン領域１００、データ領域２００、リードアウト領域３００と３つの領域が配置されている。
【００２０】
ここで、データ領域２００は、音楽、映像、コンピュータプログラムなどのコンテンツデータが記録される領域であり、リードイン領域１００は、データ領域２００の始まりを示す情報などが記録される領域で、リードアウト領域３００は、データ領域２００が終了したことを示す情報などが記録される領域である。
【００２１】
ここで、リードイン領域１００は、上記情報に加え、ディスクの互換性やドライブの制御に必要な情報が記録される領域であり、ＤＶＤ１０の再生制御に必要な諸情報を記録するコントロールデータ領域１１０を備える。そして、このコントロールデータ領域１１０に物理フォーマット情報格納領域１１１があり、ＤＶＤ再生機器の読み取り動作の基本設定を行うための情報である物理フォーマット情報はここに格納される。
【００２２】
物理フォーマット格納領域１１１に記録される物理フォーマット情報の概略を図２に示す。本図に示すように、物理フォーマット情報は、ディスクの種別１１２、層の数１１３、記録容量１１４などの情報を備える。
【００２３】
ディスク種別１１２には、再生専用のＤＶＤ−ＲＯＭ、追記型のＤＶＤ−Ｒ、書き換え可能なＤＶＤ−ＲＷ、または、ＤＶＤ−ＲＡＭなどのディスクの種別が記録されている。
【００２４】
上述のように、コンテンツを配布する際に用いられるＤＶＤは、通常、ＤＶＤ−ＲＯＭであり、そのコンテンツを複製するディスクは、ＤＶＤ−ＲＡＭなどの記録可能なものである。このため、両者は、物理フォーマット情報が異なる。そして、この物理フォーマット情報は、ＤＶＤ再生装置でのディスクへの初期アクセス時に必ず読み取られる部分である。
【００２５】
本発明は、物理フォーマット情報の違いを用いて、正規ディスクと複製ディスクとの区別を行い、複製ディスクからのコンテンツデータの再生を防止するものである。
【００２６】
次に、本実施形態のＤＶＤ−ＲＯＭ４０の作製方法について以下に説明する。
【００２７】
図３に、ＤＶＤ−ＲＯＭ４０の作製手順の概略を示す。本図に示すように、本実施形態のＤＶＤ−ＲＯＭ４０は、コンテンツデータが含まれるコンテンツファイル４１から、以下に説明するオーサリングシステム４００において、ＤＶＤ−ＲＯＭの原盤に記録するカッティングマスタデータ５１を作製し、それを元に、通常の原盤作製装置５００でプレスマスタ５２と呼ばれる原盤を作製し、そのプレスマスタ５２を射出成形装置６００によりレプリカ基板を成形（プレス）することで得られる。
【００２８】
以下に、原盤に記録するカッティングマスタデータ５１を作製するオーサリングシステム４００について説明する。図４は、その機能構成を説明するための図である。
【００２９】
オーサリングシステム４００は、仮オーサリング処理部４１０と暗号化処理部４２０と、本オーサリング処理部４３０と、入力処理部４４０と、記憶部４５０と出力処理部４６０と制御部４７０とを備える。
【００３０】
入力処理部４４０は、ＤＶＤ−ＲＯＭ４０に記録するコンテンツファイル４１を、製作者より渡されたマスタテープなどから読み取る処理を行うものである。
【００３１】
出力処理部４６０は、オーサリングシステム４００において作製されたカッティングマスタデータ５１を例えば、マスタテープなどの形で出力する処理を行うものである。
【００３２】
記憶部４５０は、オーサリングシステム４００内の各処理において、一時的にデータを記憶しておくものである。
【００３３】
制御部４７０は、オーサリングシステム４００内の各部の処理を制御するものである。
【００３４】
仮オーサリング処理部４１０は、入力処理部４４０を介して記憶部４５０に記憶されたコンテンツファイル４１を基に、ＤＶＤ−ＲＯＭ４０に記録する全てのファイルの配置を決定し、各ファイルに関する管理情報を作成する仮オーサリング処理を行うものである。
【００３５】
上述したように、物理フォーマット情報には、ＤＶＤ−ＲＯＭ４０に格納するデータの記憶容量１１４が含まれる。そして、各ファイルの管理情報の大きさや、未使用エリアの取り方により、この記憶容量１１４の値は異なるものである。従って、仮オーサリング処理部４１０で管理情報を作成することにより、この記録容量１１４の値が定まり、物理フォーマット情報が確定する。このように、仮オーサリング処理により、物理フォーマット情報を得ることができる。
【００３６】
暗号化処理部４２０は、仮オーサリング処理部４１０で確定した物理フォーマット情報を鍵として、コンテンツフィアル４１を暗号化し、暗号化されたコンテンツファイル４３を得る暗号化処理を行うものである。
【００３７】
ここで、暗号化に用いる鍵（暗号化鍵）として用いる物理フォーマット情報はＳｔａｎｄａｒｄ　ＥＣＭＡ（Ｅｕｒｏｐｅａｎ　Ｃｏｍｐｕｔｅｒ　Ｍａｎｕｆａｃｔｕｒｅ　Ａｓｓｏｃｉａｔｉｏｎ）―２６７で定められているように、２０４８ｂｙｔｅである。そして、ＤＶＤ−ＲＯＭ４０に記録されるコンテンツファイル４１は、通常、この物理フォーマット情報のバイト長（ここでは２０４８ｂｙｔｅ）の倍数の容量となるよう作成される。このため、暗号化鍵として、物理フォーマット情報をこのまま用いる場合、暗号化前と暗号化後のコンテンツファイル４１の記憶容量は変わらない。
【００３８】
なお、長さが２０４８ｂｙｔｅの約数であれば、物理フォーマット情報にハッシュ処理、任意のバイト位置からの抜き出しなどの加工処理を施したものを暗号化鍵として用いてもよい。
【００３９】
もちろん、物理フォーマット情報のバイト長が異なる場合は、当該バイト長またはその約数の長さに加工したバイト長の暗号化鍵を用いればよい。
【００４０】
さらに、コンテンツファイル４１の容量が物理フォーマット情報のバイト長の倍数でない場合、そのコンテンツファイル４１の容量の約数となるサイズを、暗号化鍵のサイズとして採用し、物理フォーマット情報を採用した長さに加工すればよい。
【００４１】
本オーサリング処理部４３０は、暗号化処理部４２０にて暗号化されたコンテンツファイル４３のＤＶＤ―ＲＯＭ４０上の配置を確定する処理を行い、原盤に記録するカッティングマスタデータ５１を作製する本オーサリング処理を行うものである。
【００４２】
以上の機能を備えたオーサリングシステム４００は、ＣＰＵ、メモリなどを備えた、パーソナルコンピュータ、ワークステーションなどの情報処理装置で実現することができる。
【００４３】
オーサリングシステム４００において行われる処理の流れを図５に示す。
【００４４】
入力処理部４４０は、コンテンツファイル４１を読み込み、記憶部４５０に格納する（ステップＳ００１）。
【００４５】
仮オーサリング処理部４１０は、記憶部４５０に格納されたコンテンツファイル４１を用いて、仮オーサリング処理を行い、得られた物理フォーマット情報４２を記憶部４５０に格納する（ステップＳ００２）。
【００４６】
暗号化処理部４２０は、物理フォーマット情報４２とコンテンツファイル４１とを用い、暗号化処理を行い、得られた暗号化されたコンテンツファイル４３を記憶部４５０に格納する（ステップＳ００３）。
【００４７】
本オーサリング処理部４３０は、暗号化されたコンテンツファイル４３を用い、本オーサリング処理を行い、カッティングマスタデータ５１を記憶部４５０に格納する（ステップＳ００４）。
【００４８】
なお、原盤作製装置５００では、オーサリングシステム４００の出力処理部４６０を介して、カッティングマスタデータ５１を得（ステップＳ００５）、図３に示す手順に従って、プレスマスタ５２を作製する。その後、射出成形装置６００では、プレスマスタ５２を用い、レプリカ基板の成形（プレス）を行い、ＤＶＤ−ＲＯＭ４０を作製する。
【００４９】
次に、以上の方法で作製されたＤＶＤ−ＲＯＭ４０を再生する再生装置７００について説明する。図６は、再生装置７００の機能ブロック図である。
【００５０】
本図に示すように、再生装置７００は、ＤＶＤのインタフェースであるＤＶＤドライブ７１０と、読み込んだデータを記憶する記憶部７２０と、各部の機能を制御する制御部７３０と、セットアップ処理部７４０と、再生処理部７５０とを備える。
【００５１】
セットアップ処理部７４０は、ＤＶＤ−ＲＯＭ４０がＤＶＤドライブ７１０に挿入されると、リードイン領域１００に記録されている物理フォーマット情報４２を取得する。そして、取得した物理フォーマット情報４２を鍵として、データ領域２００に記録されている暗号化されたコンテンツファイル４３を復号化する。
【００５２】
再生処理部７５０は、セットアップ処理部７４０において復号化されたコンテンツファイルを再生する処理を行うものである。
【００５３】
ここで、上述したように、物理フォーマット情報は、ＤＶＤのディスクの種類によって異なるものである。このため、ＤＶＤドライブ７１０に挿入されたＤＶＤが、ＤＶＤ−ＲＯＭでない場合、即ち、ＤＶＤ−Ｒ、ＤＶＤ−ＲＷ、ＤＶＤ−ＲＡＭなどである場合、上記のセットアップ処理部７４０において、復号化に用いる鍵として取得する物理フォーマット情報は、コンテンツファイル４１を暗号化した際に用いたＤＶＤ−ＲＯＭ４０のものとは異なることとなる。
【００５４】
つまり、本装置で、再生しようとするディスクが、記録可能なディスクであった場合は、記録された暗号化されたコンテンツファイル４３を復号化する際に、正しい鍵が得られないため、正常に復号化することができない。
【００５５】
このように、本実施形態によれば、ＤＶＤ−ＲＯＭからコンテンツファイルを複製した各種の記録可能なＤＶＤの再生を防止することができる。
【００５６】
本発明は上記の実施形態に限定されるものではなく、その要旨の範囲内で数々の変形が可能である。
【００５７】
例えば、本実施形態においては、コンテンツファイル４１を再生装置に読み込ませて復号化する機能、即ち上記のセットアップ処理部７４０の機能を、再生装置が備える構成としたが、このような構成に限られない。
【００５８】
本機能を、セットアップログラムとして、自身のＤＶＤ−ＲＯＭ４０のデータ領域２００に記録するよう構成してもよい。
【００５９】
この場合、図５に示すＤＶＤ−ＲＯＭ４０にコンテンツファイルを記録する手順において、セットアッププログラムは、コンテンツファイル４１とともに、仮オーサリング処理を行い、そして、暗号化されたコンテンツファイル４３とともに、本オーサリング処理処理を行い、カッティングマスタデータ５１に付加するようにすればよい。
【００６０】
また、再生時は、セットアッププログラムを、自身が記録されているＤＶＤ−ＲＯＭ４０が再生装置のＤＶＤドライブ７１０に挿入されると起動し、処理を開始するよう構成しておけばよい。
【００６１】
このような構成とすると、特別な再生装置ではなく、セットアッププログラムを実行可能な一般的なコンピュータ上で、上記の再生装置の機能が実現できる。即ち、新たな機構を追加することなく、ＤＶＤ−ＲＯＭからコンテンツデータを複製した記録可能な光ディスクの再生を禁止することができる。
【００６２】
また、セットアッププログラムのみ、別の媒体に記録し、再生装置に予めインストールするような構成としてもよい。
【００６３】
また、以上の実施形態では、記録媒体として、ＤＶＤ−ＲＯＭを例にあげ、説明したが、これに限られない。例えば、同様の媒体で、書き込み可能な媒体と異なる物理フォーマット情報を有する情報記録媒体であれば、適用可能である。
【００６４】
【発明の効果】
本発明によれば、オリジナルのディスクのコンテンツを複製した、記録可能なディスクからの再生を不能とすることができ、不正に複製された光ディスクの再生を阻止することができる。
【図面の簡単な説明】
【図１】図１は、ＤＶＤの記録領域を説明するための図である。
【図２】図２は、物理フォーマット格納領域を説明するための図である。
【図３】図３は、本実施形態のＤＶＤ−ＲＯＭの作製手順を説明するための図である。
【図４】図４は、本実施形態のオーサリングシステムの機能ブロック図である。
【図５】図５は、本実施形態のオーサリングシステムにおける処理の流れを説明するための図である。
【図６】図６は、本実施形態の再生装置の機能ブロック図である。
【符号の説明】
１０・・・ＤＶＤ、１００・・・リードイン領域、２００・・・データ領域、３００・・・リードアウト領域、１１０・・・コントロールデータ領域、１１１・・・物理フォーマット格納領域、４００・・・オーサリングシステム、４１０・・・仮オーサリング処理部、４２０・・・暗号化処理部、４３０・・・本オーサリング処理部、４４０・・・入力処理部、４５０・・・記憶部、４６０・・・出力処理部、４７０・・・制御部、４０・・・ＤＶＤ−ＲＯＭ、４１・・・コンテンツデータ、４２・・・物理フォーマット情報、４３・・・暗号化されたコンテンツファイル、５００・・・原盤作製装置、６００・・・射出成形装置、５１・・・カッティングマスタデータ、５２・・・プレスマスタ、７００・・・再生装置、７１０・・・ＤＶＤドライブ、７２０・・・記憶部、７３０・・・制御部、７４０・・・セットアップ処理部、７５０・・・再生処理部
【図１】
2004118911.tif 000003
【図２】
2004118911.tif 000004
【図３】
2004118911.tif 000005
【図４】
2004118911.tif 000006
【図５】
2004118911.tif 000007
【図６】
2004118911.tif 000008